(57)【要約】【課題】排液飛散防止と制御部防護のエアコン洗浄用の養生カバー及びそれを用いたエアコン洗浄方法を提供する。【解決の手段】本発明に係るエアコン洗浄方法及びそれに使用されるエアコン洗浄用の養生カバーは、エアコンの洗浄時にエアコン及び／又はエアコン洗浄部材の周囲の一部又は全体を包囲して洗浄液９ａや排液の飛散を防止し、及び／又は排液を回収するための養生カバーであり、前記養生カバーは養生シート１１からカバー形状に形成され、前記養生シート１１は少なくとも防水層１２と吸水保水層１３の２層を積層して構成され、前記エアコンに対面する内側層を防水層１２とし、前記エアコンに反対面する外側層を吸水保水層１３とする。具体的には、エアコン側部制御部２の周囲を包囲する側部カバー３や前記エアコン及び／又はエアコン洗浄部材の全体の周囲を包囲する全体カバー４である。【選択図】図１
2019132465.tif 000002
【特許請求の範囲】
【請求項１】
エアコンの洗浄時にエアコン及び／又はエアコン洗浄部材の周囲の一部又は全体を包囲して洗浄液や排液の飛散を防止し、及び／又は排液を回収するための養生カバーであり、前記養生カバーは養生シートからカバー形状に形成され、前記養生シートは少なくとも防水層と吸水保水層の２層を積層して構成され、前記エアコンに対面する内側層を防水層とし、前記エアコンに反対面する外側層を吸水保水層とすることを特徴とするエアコン洗浄用の養生カバー。
【請求項２】
前記エアコンが壁掛型のエアコンであるとき、前記養生カバーが、前記エアコンの中でエアコン側部制御部の周囲を包囲する側部カバーである請求項１に記載のエアコン洗浄用の養生カバー。
【請求項３】
前記エアコンが壁掛型のエアコンであるとき、前記養生カバーが、前記エアコン及び／又はエアコン洗浄部材の全体の周囲を包囲する全体カバーである請求項１に記載のエアコン洗浄用の養生カバー。
【請求項４】
前記全体カバーの中で前記エアコンの正面側に位置する前面シートの上側が開放されて開放口が形成されており、前記開放口を垂幕状に開閉する左右の前部カバーが垂下して配置され、左右の前記前部カバーの間に洗浄口が配置され、前記洗浄口から洗浄液を放射するように構成されている請求項３に記載のエアコン洗浄用の養生カバー。
【請求項５】
前記エアコンが壁掛型のエアコンであるとき、前記養生カバーが、前記エアコンの下面を少なくとも開放した本体カバーである請求項１に記載のエアコン洗浄用の養生カバー。
【請求項６】
前記エアコンが壁掛型のエアコンであるとき、エアコン本体から吊具を介して排液回収用の受具が吊持され、前記養生カバーが、前記受具から下方にホッパー状に垂下された受カバーである請求項１に記載のエアコン洗浄用の養生カバー。
【請求項７】
前記エアコンが天井型のエアコンであるとき、エアコンに下方又は側方へ送風する送風口が設けられており、前記養生カバーが、前記送風口を含んで下方にホッパー状に垂下された受カバーである請求項１に記載のエアコン洗浄用の養生カバー。
【請求項８】
前記エアコンが壁掛型又は天井型のエアコンであるとき、前記養生カバーが、前記エアコンの下方にホッパー状に配置されて支持棒により上下左右に移動可能な受カバーである請求項１に記載のエアコン洗浄用の養生カバー。
【請求項９】
前記吸水保水層は合成繊維からなる編物で、その表面にパイルを有してパイルが凸部となって編地表面に凹凸状の構造を有し、外部から編地表面にもたらされた液体状の水分が、速やかに編物の内部に吸水して保水され、前記防水層は、樹脂フィルム又は樹脂皮膜からなり、前記吸水保水層の裏面側にラミネート又はコーティングにより形成される請求項１〜８のいずれかに記載のエアコン洗浄用の養生カバー。
【請求項１０】
エアコン及び／又はエアコン洗浄部材の周囲の一部又は全体を養生カバーにより包囲し、エアコンに洗浄液を放射してエアコンを洗浄し、洗浄液及び／又は排液を回収するエアコン洗浄方法であり、前記養生カバーは養生シートからカバー形状に形成され、前記養生シートは少なくとも防水層と吸水保水層の２層を積層して構成され、前記エアコンに対面する内側層を防水層とし、前記エアコンに反対面する外側層を吸水保水層とすることを特徴とするエアコン洗浄方法。
【請求項１１】
前記エアコンが壁掛型のエアコンであるとき、前記養生カバーの一種である側部カバーにより、前記エアコンの中でエアコン側部制御部の周囲を包囲する請求項１０に記載のエアコン洗浄方法。
【請求項１２】
前記エアコンが壁掛型のエアコンであるとき、前記養生カバーの一種である全体カバーにより、前記エアコン及び／又はエアコン洗浄部材の全体の周囲を包囲する請求項１０に記載のエアコン洗浄方法。
【請求項１３】
前記全体カバーの中で前記エアコンの正面側に位置する前面シートの上側が開放されて開放口が形成されており、前記開放口を垂幕状に開閉する左右の前部カバーが垂下して配置され、左右の前記前部カバーの間に洗浄口が配置され、前記洗浄口から洗浄液を放射する請求項１２に記載のエアコン洗浄方法。
【請求項１４】
前記エアコンが壁掛型のエアコンであるとき、前記養生カバーが、前記エアコンの下面を少なくとも開放した本体カバーである請求項１０に記載のエアコン洗浄方法。
【請求項１５】
前記エアコンが壁掛型のエアコンであるとき、エアコン本体から吊具を介して排液回収用の受具を吊持し、前記養生カバーが、前記受具から下方にホッパー状に垂下された受カバーである請求項１０に記載のエアコン洗浄方法。
【請求項１６】
前記エアコンが天井型のエアコンであるとき、エアコンに下方又は側方へ送風する送風口が設けられており、前記養生カバーが、前記送風口を含んで下方にホッパー状に垂下された受カバーである請求項１０に記載のエアコン洗浄方法。
【請求項１７】
前記エアコンが壁掛型又は天井型のエアコンであるとき、前記養生カバーが、前記エアコンの下方にホッパー状に配置されて支持棒により上下左右に移動可能な受カバーである請求項１０に記載のエアコン洗浄方法。
【請求項１８】
前記吸水保水層は合成繊維からなる編物で、その表面にパイルを有してパイルが凸部となって編地表面に凹凸状の構造を有し、外部から編地表面にもたらされた液体状の水分が、速やかに編物の内部に吸水して保水され、前記防水層は、樹脂フィルム又は樹脂皮膜からなり、前記吸水保水層の裏面側にラミネート又はコーティングにより形成される請求項１０〜１７のいずれかに記載のエアコン洗浄方法。
【発明の詳細な説明】
【技術分野】
【０００１】
本発明は、壁掛型又は天井型のエアコンを洗浄する際に使用されるエアコン洗浄用の養生カバー及びエアコン洗浄方法に関し、更に詳細には、洗浄液や排液の飛散を防止し、また排液を回収するための養生カバー及びエアコン洗浄方法に関する。
【背景技術】
【０００２】
エアコン洗浄用の養生カバー及びエアコン洗浄方法として、特許文献１（実用新案登録第３１４６２６１号公報）のエアコン高圧洗浄装置を用いることが記載され、特に養生カバーとしてフード体７やホッパー９が知られている。その明細書から分かるように、フード体７は第１防水シート２１であり、ホッパー９は第２防水シート２７であり、防水性能しか有さないことは明らかである。
フード体７やホッパー９の内面側には洗浄水や排水が直接的に流下するから防水性能があれば防水できるが、その外面側に飛散する水滴は防水性により弾かれるから、外面を伝って床に流下し、床面が水浸しになることは明らかである。
【０００３】
特許文献２（特開２００５−９８６６２号公報）には、壁掛型エアコンの洗浄カバー及びエアコン洗浄方法が示されている。その要約に記載されているように、洗浄カバーの前面に透明性のビニル樹脂を選定とされているから、洗浄カバーは防水性能のみの防水カバーであることが明白である。
前述したように、洗浄カバー１の内面側には洗浄水や排水が直接的に流下するから防水性能があれば防水できるが、その外面側に飛散する水滴は防水性により弾かれるから、やはり外面を伝って床に流下し、床面が水浸しになることは明らかである。
【０００４】
特許文献３（特開２００６−６４２２７号公報）には、エアコン洗浄方法として、天井埋込型エアコン熱交換器の洗浄装置が記載されている。その要約に記載されているように、洗浄する天井埋込型エアコン１の洗液を受ける防水カバーとあるように、この防水カバーは防水性能のみを有する防水ホッパー３のことである。
上述と同様に、防水ホッパー３の内面側には洗浄水や排水が直接的に流下するから防水性能があれば防水できるが、その外面側に飛散する水滴は防水性により弾かれるから、やはり外面を伝って床に流下し、床面が水浸しになることは明らかである。
【０００５】
特許文献４（特開２００７−１０３０３号公報）には、エアコン洗浄に使用されるエアコン用洗浄シートが記載されている。この洗浄シートも開傘時には防水シート７であることが明示されている。
上述と同様に、防水シート７の内面側には洗浄水や排水が直接的に流下するから防水性能があれば防水できるが、防水シートだけではその外面側に飛散する水滴は防水性により弾かれるから、やはり外面を伝って床に流下し、床面が水浸しになることは明らかである。
【０００６】
特許文献５（特開２００５−２９０５８７号公報）には、吸水保水性編物が記載されている。そして、その請求項７には、吸水保水性編物の裏面側に防水層が積層されてなる吸水保水性積層シートが記載されている。この特許文献５には、確かに、表面が吸水保水性編物で裏面が防水層である積層シートが記載されている。
そして、その段落［０００１］には、当該吸水保水性編物の用途として、「カジュアル・レディース用シューズ、ランニングシューズ、長靴や安全靴といった靴の内張りや中敷き等の靴内装用途、防水シーツ等の介護用品用途、あるいはスポーツシャツ等のスポーツウエア用途等に好適な、表面に快適なドライ感をもたらすことのできる」と記載されている。
エアコン洗浄では大量の洗浄液（洗浄水を含む）を使用し、しかもその反対面でもかなりの水滴が付着するから、前述のように洗浄シートは防水シートに限るというのが、エアコン洗浄技術者の常識であった。従って、特許文献５の防水吸水保水可能な積層シートをエアコン洗浄に適用するというのはエアコン洗浄技術者だけでなく、繊維技術者にとっても奇想天外な発想であることは明白である。
【先行技術文献】
【特許文献】
【０００７】
【特許文献１】実用新案登録第３１４６２６１号公報
【特許文献２】特開２００５−９８６６２号公報
【特許文献３】特開２００６−６４２２７号公報
【特許文献４】特開２００７−１０３０３号公報
【特許文献５】特開２００５−２９０５８７号公報
【発明の概要】
【発明が解決しようとする課題】
【０００８】
前述したように、特許文献１〜４に共通することは、エアコン洗浄に使用できる洗浄シートは防水シートに限られるという思想が、エアコン洗浄技術者の極めて普遍的な常識である。
その理由は、洗浄シートの内面側には大量の洗浄水や排水が直接的に流下するから強力な防水性能を有する必要があり、それを実現するには、防水シートに限られるという固定概念である。
勿論、防水シートだけではその外面側に飛散する水滴は防水性により弾かれるから、やはり外面を伝って床に流下する。従って、エアコン洗浄技術者の技術思想では、床面の水浸しを防止するために、床面全面に床用シートを別に敷設し、この床用シートで床面の水浸しを防止することが常であった。
【０００９】
従って、本発明の目的は、養生カバーを用いたエアコン洗浄方法の中でも、エアコン及び／又はエアコン洗浄部材の周囲の一部又は全体を養生カバーで包囲して洗浄液や排液の飛散を防止しながらエアコンを洗浄し、排液を回収するエアコン洗浄方法であり、前記養生カバーは養生シートからカバー形状に形成され、前記養生シートは少なくとも防水層と吸水保水層の２層を積層して構成され、前記エアコンに対面する内側層を防水層とし、前記エアコンに反対面する外側層を吸水保水層とするエアコン洗浄用の養生カバーを提供し、且つ当該養生カバーを使用するエアコン洗浄方法を提供することである。
【００１０】
特に、エアコンが壁掛型のエアコンであるとき、前記養生カバーが、エアコンの中でも特にエアコン側部制御部の周囲を包囲する側部カバーであり、エアコン側部制御部を洗浄液から完全に防護して洗浄後にエアコンの電子制御機能を直ちに発揮できるエアコン洗浄用の養生カバーを提供し、且つそれを用いたエアコン洗浄方法を提供することである。
【００１１】
また、エアコンが壁掛型のエアコンであるとき、前記養生カバーが、エアコン及び／又はエアコン洗浄部材の全体の周囲を包囲する全体カバーであるエアコン洗浄用の養生カバーを提供し、且つそれを用いたエアコン洗浄方法を提供することである。
更に、前記全体カバーの中でも前記エアコンの正面側に位置する前面シートの上側が開放されて開放口が形成されており、開放口を垂幕状に開閉する左右の前部カバーが垂下して配置され、左右の前部カバーの間に洗浄口が配置され、この洗浄口から洗浄液を放射するように構成されているエアコン洗浄用の養生カバーを提供し、且つそれを用いたエアコン洗浄方法を提供することである。
【課題を解決するための手段】
【００１２】
本発明は、上記課題を解決するために提案されたものであって、本発明の第１の形態は、エアコンの洗浄時にエアコン及び／又はエアコン洗浄部材の周囲の一部又は全体を包囲して洗浄液や排液の飛散を防止し、及び／又は排液を回収するための養生カバーであり、前記養生カバーは養生シートからカバー形状に形成され、前記養生シートは少なくとも防水層と吸水保水層の２層を積層して構成され、前記エアコンに対面する内側層を防水層とし、前記エアコンに反対面する外側層を吸水保水層とするエアコン洗浄用の養生カバーである。
【００１３】
本発明の第２の形態は、エアコンが壁掛型のエアコンであるとき、養生カバーが、エアコンの中でエアコン側部制御部の周囲を包囲する側部カバーであるエアコン洗浄用の養生カバーである。
【００１４】
本発明の第３の形態は、エアコンが壁掛型のエアコンであるとき、養生カバーが、エアコン及び／又はエアコン洗浄部材の全体の周囲を包囲する全体カバーであるエアコン洗浄用の養生カバーである。
【００１５】
本発明の第４の形態は、全体カバーの中でエアコンの正面側に位置する前面シートの上側が開放されて開放口が形成されており、開放口を垂幕状に開閉する左右の前部カバーが垂下して配置され、左右の前記前部カバーの間に洗浄口が配置され、洗浄口から洗浄液を放射するように構成されているエアコン洗浄用の養生カバーである。
【００１６】
本発明の第５の形態は、エアコンが壁掛型のエアコンであるとき、養生カバーが、エアコンの下面を少なくとも開放した本体カバーであるエアコン洗浄用の養生カバーである。
【００１７】
本発明の第６の形態は、エアコンが壁掛型のエアコンであるとき、エアコン本体から吊具を介して排液回収用の受具が吊持され、養生カバーが、受具から下方にホッパー状に垂下された受カバーであるエアコン洗浄用の養生カバーである。
【００１８】
本発明の第７の形態は、エアコンが天井型のエアコンであるとき、エアコンに下方又は側方へ送風する送風口が設けられており、養生カバーが、送風口を含んで下方にホッパー状に垂下された受カバーであるエアコン洗浄用の養生カバーである。
【００１９】
本発明の第８の形態は、エアコンが壁掛型又は天井型のエアコンであるとき、養生カバーが、エアコンの下方にホッパー状に配置されて支持棒により上下左右に移動可能な受カバーであるエアコン洗浄用の養生カバーである。
【００２０】
本発明の第９の形態は、吸水保水層は合成繊維からなる編物で、その表面にパイルを有してパイルが凸部となって編地表面に凹凸状の構造を有し、外部から編地表面にもたらされた液体状の水分が、速やかに編物の内部に吸水して保水され、防水層は、樹脂フィルム又は樹脂皮膜からなり、吸水保水層の裏面側にラミネート又はコーティングにより形成されるエアコン洗浄用の養生カバーである。
【００２１】
本発明の第１０の形態は、エアコン及び／又はエアコン洗浄部材の周囲の一部又は全体を養生カバーにより包囲し、エアコンに洗浄液を放射してエアコンを洗浄し、洗浄液及び／又は排液を回収するエアコン洗浄方法であり、前記養生カバーは養生シートからカバー形状に形成され、前記養生シートは少なくとも防水層と吸水保水層の２層を積層して構成され、前記エアコンに対面する内側層を防水層とし、前記エアコンに反対面する外側層を吸水保水層とするエアコン洗浄方法である。
【００２２】
本発明の第１１の形態は、エアコンが壁掛型のエアコンであるとき、養生カバーの一種である側部カバーにより、エアコンの中でエアコン側部制御部の周囲を包囲するエアコン洗浄方法である。
【００２３】
本発明の第１２の形態は、エアコンが壁掛型のエアコンであるとき、養生カバーの一種である全体カバーにより、エアコン及び／又はエアコン洗浄部材の全体の周囲を包囲するエアコン洗浄方法である。
【００２４】
本発明の第１３の形態は、全体カバーの中でエアコンの正面側に位置する前面シートの上側が開放されて開放口が形成されており、開放口を垂幕状に開閉する左右の前部カバーが垂下して配置され、左右の前部カバーの間に洗浄口が配置され、洗浄口から洗浄液を放射するエアコン洗浄方法である。
【００２５】
本発明の第１４の形態は、エアコンが壁掛型のエアコンであるとき、養生カバーが、エアコンの下面を少なくとも開放した本体カバーであるエアコン洗浄方法である。
【００２６】
本発明の第１５の形態は、エアコンが壁掛型のエアコンであるとき、エアコン本体から吊具を介して排液回収用の受具を吊持し、前記養生カバーが、前記受具から下方にホッパー状に垂下された受カバーであるエアコン洗浄方法である。
【００２７】
本発明の第１６の形態は、エアコンが天井型のエアコンであるとき、エアコンに下方又は側方へ送風する送風口が設けられており、養生カバーが、送風口を含んで下方にホッパー状に垂下された受カバーであるエアコン洗浄方法である。
【００２８】
本発明の第１７の形態は、エアコンが壁掛型又は天井型のエアコンであるとき、養生カバーが、エアコンの下方にホッパー状に配置されて支持棒により上下左右に移動可能な受カバーであるエアコン洗浄方法である。
【００２９】
本発明の第１８の形態は、吸水保水層は合成繊維からなる編物で、その表面にパイルを有してパイルが凸部となって編地表面に凹凸状の構造を有し、外部から編地表面にもたらされた液体状の水分が、速やかに編物の内部に吸水して保水され、前記防水層は、樹脂フィルム又は樹脂皮膜からなり、前記吸水保水層の裏面側にラミネート又はコーティングにより形成されるエアコン洗浄方法である。
【発明の効果】
【００３０】
本発明の第１の形態によれば、エアコンの洗浄時にエアコン及び／又はエアコン洗浄部材の周囲の一部又は全体を包囲して洗浄液や排液の飛散を防止し、及び／又は排液を回収するための養生カバーが提供できる。
本発明に係る養生カバーはエアコンの洗浄用に使用される養生カバーであり、全ての種類のエアコンの洗浄に使用され、具体的には壁掛型や天井型（天井埋込型、天井吊型）や床面載置型のエアコンが含まれる。また、エアコン及び／又はエアコン洗浄部材の全体を包囲する養生カバーでもよいし、エアコン及び／又はエアコン洗浄部材の一部を包囲する養生カバーでもよく、エアコンに近接して包囲するタイプでもよく、エアコンに対し余裕をもって包囲するタイプなど種々のものが含まれる。
天井型では、エアコンの一部である排気口を包囲する場合も含まれ、或いは排気口から下方に配置される場合でもエアコンの一部である排気口を下方から非接触で包囲する場合に含まれる。エアコン自体だけでなく、エアコン洗浄に使用される洗浄部材、例えば洗浄液の受部材やこの受部材をエアコンに連結する連結部材等を包囲する場合も包含されるものである。
また、洗浄対象となるエアコンは、概念としてエアコン自体を包含するだけでなく、エアコンからエアコンケース（エアコンのハウジング）を取り外したエアコン本体も包含する。特に洗浄液を放射する場合には、エアコンケースを取り外したエアコン本体であることが多い。更に、エアコンを分解したエアコン構成部材も上記エアコンの概念に包含されている。
前記養生カバーは養生シートからカバー形状に形成されたものであり、前記養生シートは少なくとも防水層と吸水保水層の２層を積層して構成され、前記エアコンに対面する内側層を防水層とし、前記エアコンに反対面する外側層を吸水保水層とするエアコン洗浄用の養生カバーが提供される。
エアコンに対しては洗浄液が直接放射されるから、エアコンに対面する内側層は洗浄液や排液を大量に直接的に受けることになり、その内側層を防水層とすることによって洗浄液や排液を遮断してカバー面に沿って流下させて回収することができる。また、エアコンに反対面する外側層には空間を漂う洗浄液や排液の微小水滴や霧が衝突するから、これらの小水滴や霧が散乱しないように吸水保水層で吸収するだけでなく、これらの液が他に移動しないように吸水位置で保水することができる。
更に詳説すると、エアコンに反対面する外側層が通常の防水層であれば、空間を漂う洗浄液や排液が外側面に沿って流下し、床面を湿状態にしてしまう。そのために洗浄工事をする前に床面全体を床シートで敷設することが必要になるが、本発明によれば外側層を吸水保水層で構成するから、付着した洗浄液や排液をその場所で吸収し且つ移動しないように保水するから、付着した洗浄液や排液が流下することが無く、床面を清浄に保持することができる。従って、床面に床シートを敷設しなくてもよい等の多大な効果を発揮する。
【００３１】
本発明の第２の形態によれば、エアコンが壁掛型のエアコンであるとき、養生カバーが、エアコンの中でエアコン側部制御部の周囲を包囲する側部カバーであるエアコン洗浄用の養生カバーが提供できる。
壁掛型のエアコンの制御部はエアコンの側部に設けられており、特に制御回路は水に弱い。そこで、本形態ではエアコン洗浄時にはエアコン側部制御部の周囲を包囲する養生カバーを装着し、エアコン側部制御部を防護する。これにより、空間を漂う洗浄液や排液の微小水滴や霧を吸水保水層で吸収するだけでなく、これらの液が他に移動しないように吸水位置で保水することができる。しかも内側層の防水層により、吸水保水された洗浄液や排液がエアコン側部制御部へ移動することを遮断してエアコン制御部を確実に防護することが可能になる。従って、エアコンの再起動性を確実に確保することができる。
【００３２】
本発明の第３の形態によれば、エアコンが壁掛型のエアコンであるとき、養生カバーが、エアコンの全体の周囲を包囲する全体カバーであるエアコン洗浄用の養生カバーが提供できる。
本形態発明に係る養生カバーが壁掛型のエアコンの全体を包囲する全体カバーとして利用される。この全体カバーはエアコンだけでなく受部や連結具・吊具などの他部材も包囲することができ、この全体カバーで洗浄液や排液を完全に内部に封じ込めて遮断でき、しかも排液を回収することができる。
即ち、エアコンの内側層にある防水層によって洗浄液や排液を遮断してカバー内面に沿って流下させて回収することができる。エアコンに反対面する外側層の吸水保水層には空間を漂う洗浄液や排液の微小水滴や霧が衝突するから、これらの小水滴や霧が散乱しないように吸水保水層で吸収するだけでなく、これらの液が他に移動しないように吸水位置で完全に保水することができる。
【００３３】
本発明の第４の形態によれば、全体カバーの中でエアコンの正面側に位置する前面シートの上側が開放されて開放口が形成されており、開放口を垂幕状に開閉する左右の前部カバーが垂下して配置され、左右の前記前部カバーの間に洗浄口が配置され、洗浄口から洗浄液を放射するように構成されているエアコン洗浄用の養生カバーが提供できる。
本形態の養生カバーは第３形態に規定する全体カバーであり、壁掛型のエアコンの全体を包囲しており、その中で全面シートの上側には開放口が形成され、この開放口は左右に垂幕状に垂下された前部カバーで開閉可能に通常は閉鎖されている。垂幕状であるから、左右の前部カバーを巻き上げることも可能であり、前部カバーの下縁を左右に開くことも可能である。また、左右の前部カバーの近接した端縁は重なっていても開いていてもよい。
近接した端縁が相互に離間しておれば縦状に形成された隙間が洗浄口になる。また、近接した端縁が相互に重なっておれば、前部カバーの下縁を左右に開いて隙間を開口でき、その隙間が洗浄口になる。この洗浄口から洗浄液をエアコンに向かって放射してエアコンを洗浄することができる。本形態の洗浄口とはそのように形成されるものである。従って、左右の前部カバーにより洗浄作業の自由度が極めて高くなり、洗浄作業の容易性が確保できる。
しかも、左右の前部カバーの下縁を前面シートの内側に内装しておけば、全体カバー内で前部カバーを流下する洗浄液や排液が外部に漏出することなく回収することができる利点を有する。
【００３４】
本発明の第５の形態によれば、エアコンが壁掛型のエアコンであるとき、養生カバーが、エアコンの下面を少なくとも開放した本体カバーであるエアコン洗浄用の養生カバーが提供できる。
本形態の養生カバーである本体カバーは、第６形態の養生カバーである受カバーと対にして使用される。この本体カバーの下方が開放されている理由は、エアコンを洗浄するときに、洗浄液や排液が前記下方の開放部から更に下方に流下し、下側に配置される受カバーで受け止めて回収するためである。
この本体カバーも、内側層である防水層と外側層である吸水保水層の積層シートである養生シートから形成されている。  即ち、エアコンに対面する内側層にある防水層によって洗浄液や排液を遮断してカバー内面に沿って流下させて回収することができる。エアコンに反対面する外側層の吸水保水層には空間を漂う洗浄液や排液の微小水滴や霧が衝突するから、これらの小水滴や霧が散乱しないように吸水保水層で吸収するだけでなく、これらの液が他に移動しないように吸水位置で完全に保水することができる。
【００３５】
本発明の第６の形態によれば、エアコンが壁掛型のエアコンであるとき、エアコン本体から吊具を介して排液回収用の受具が吊持され、養生カバーが、受具から下方にホッパー状に垂下された受カバーであるエアコン洗浄用の養生カバーが提供できる。
本形態の養生カバーである受カバーは、第５形態の養生カバーである本体カバーと対にして使用される。前記本体カバーから流下する洗浄液や排液を、本形態の受カバーで受け止めて回収する。
この受カバーも、内側層である防水層と外側層である吸水保水層の積層シートである養生シートから形成されている。  即ち、エアコンに対面する内側層にある防水層によって洗浄液や排液を遮断して受カバー内面に沿って流下させて洗浄液や排液を回収することができる。エアコンに反対面する外側層の吸水保水層には空間を漂う洗浄液や排液の微小水滴や霧が衝突するから、これらの小水滴や霧が散乱しないように吸水保水層で吸収するだけでなく、これらの液が他に移動しないように吸水位置で完全に保水することができる。
【００３６】
本発明の第７の形態によれば、エアコンが天井型のエアコンであるとき、エアコンに下方又は側方へ送風する送風口が設けられており、養生カバーが、送風口を含んで下方にホッパー状に垂下された受カバーであるエアコン洗浄用の養生カバーが提供できる。
本形態の天井型のエアコンには、天井埋込型のエアコンや天井吊型のエアコンが存在し、いずれも下方に又は側方に送風する送風口が存在し、本形態の受カバーは上記送風口の近傍に配置されて、流下する洗浄液や排液を受カバーで受け止めて回収する。
この受カバーも、内側層である防水層と外側層である吸水保水層の積層シートである養生シートから形成されている。この場合には、エアコンに対面するとはエアコンの送風口に対面するということである。即ち、エアコンの送風口に対面する内側層にある防水層によって洗浄液や排液を遮断して受カバー内面に沿って流下させて洗浄液や排液を回収することができる。エアコンに反対面する外側層の吸水保水層には空間を漂う洗浄液や排液の微小水滴や霧が衝突するから、これらの微小水滴や霧が散乱しないように吸水保水層で吸収するだけでなく、これらの液が他に移動しないように吸水位置で完全に保水することができる。
【００３７】
本発明の第８の形態によれば、エアコンが壁掛型又は天井型のエアコンであるとき、養生カバーが、エアコンの下方にホッパー状に配置されて支持棒により上下左右に移動可能な受カバーであるエアコン洗浄用の養生カバーが提供できる。
本形態の受カバーは支持棒により上下左右に移動可能に構成され、この支持棒自体が排液チューブを兼用する場合もあれば、支持棒以外に排液チューブを設ける場合もある。
壁掛型のエアコンや天井型のエアコンの取付位置や取付高さが異なったりする場合があるから、支持棒を伸縮させて取付高さを可変調整でき、また取付位置に応じて場所を自在に移動できる利点を有する。
この受カバーも、内側層である防水層と外側層である吸水保水層の積層シートである養生シートから形成されている。この場合に、天井型のエアコンに対面するとはエアコンの送風口に対面するということであり、壁掛型のエアコンでは直接にエアコンに対面することを意味する。エアコンに対面する内側層にある防水層によって洗浄液や排液を遮断して受カバー内面に沿って流下させて洗浄液や排液を回収することができる。エアコンに反対面する外側層の吸水保水層には空間を漂う洗浄液や排液の微小水滴や霧が衝突するから、これらの微小水滴や霧が散乱しないように吸水保水層で吸収するだけでなく、これらの液が他に移動しないように吸水位置で完全に保水することができる。
【００３８】
本発明の第９の形態によれば、吸水保水層は合成繊維からなる編物で、その表面にパイルを有してパイルが凸部となって編地表面に凹凸状の構造を有し、外部から編地表面にもたらされた液体状の水分が、速やかに編物の内部に吸水して保水され、防水層は、樹脂フィルム又は樹脂皮膜からなり、吸水保水層の裏面側にラミネート又はコーティングにより形成されるエアコン洗浄用の養生カバーが提供できる。
本形態では吸水保水層と防水層の具体的な構成が規定されている。これらの構成は第１から第９の形態を通して共通した構成が採用される。吸水保水層は合成繊維からなる編物で、その表面にパイルを有してパイルが凸部となって編地表面に凹凸状の構造を有し、この凹凸状の構造により液体状の水分が速やかに編物の内部に吸水され、しかも凹凸状の構造により内部に形成される微小空間に液体状の水分が保水される作用がある。また、防水層は、樹脂フィルム又は樹脂皮膜からなり、吸水保水層の裏面側にラミネート又はコーティングにより形成される。吸水保水された水分が、防水層により遮断されて移動せず固定される作用を有する。
【００３９】
本発明の第１０の形態によれば、エアコン及び／又はエアコン洗浄部材の周囲の一部又は全体を養生カバーにより包囲し、エアコンに洗浄液を放射してエアコンを洗浄し、洗浄液及び／又は排液を回収するエアコン洗浄方法であり、前記養生カバーは養生シートからカバー形状に形成され、前記養生シートは少なくとも防水層と吸水保水層の２層を積層して構成され、前記エアコンに対面する内側層を防水層とし、前記エアコンに反対面する外側層を吸水保水層とするエアコン洗浄方法が提供できる。
洗浄対象となるエアコンは、概念としてエアコン自体を包含するだけでなく、エアコンからエアコンケース（エアコンのハウジング）を取り外したエアコン本体も包含する。特に洗浄液を放射する場合には、エアコンケースを取り外したエアコン本体であることが多い。更に、エアコンを分解したエアコン構成部材も上記エアコンの概念に包含されている。
本発明に係るエアコン洗浄方法に使用される養生カバーはエアコンの洗浄用に使用される養生カバーであり、全ての種類のエアコンの洗浄に使用され、具体的には壁掛型や天井型（天井埋込型、天井吊型）や床面載置型のエアコンが含まれる。また、エアコン及び／又はエアコン洗浄部材の全体を包囲する養生カバーでもよいし、エアコン及び／又はエアコン洗浄部材の一部を包囲する養生カバーでもよく、エアコンに近接して包囲するタイプでもよく、エアコンに対し余裕をもって包囲するタイプなど種々のものが含まれる。
天井型では、エアコンの一部である排気口を包囲する場合も含まれ、或いは排気口から下方に配置される場合でもエアコンの一部である排気口を下方から非接触で包囲する場合に含まれる。エアコン自体だけでなく、エアコン洗浄に使用される洗浄部材、例えば洗浄液の受部材やこの受部材をエアコンに連結する連結部材等を包囲する場合も包含されるものである。
前記養生カバーは養生シートからカバー形状に形成されたものであり、前記養生シートは少なくとも防水層と吸水保水層の２層を積層して構成され、前記エアコンに対面する内側層を防水層とし、前記エアコンに反対面する外側層を吸水保水層とするエアコン洗浄用の養生カバーが提供される。
エアコンに対しては洗浄液が直接放射されるから、エアコンに対面する内側層は洗浄液や排液を大量に直接的に受けることになり、その内側層を防水層とすることによって洗浄液や排液を遮断してカバー面に沿って流下させて回収することができる。また、エアコンに反対面する外側層には空間を漂う洗浄液や排液の微小水滴や霧が衝突するから、これらの小水滴や霧が散乱しないように吸水保水層で吸収するだけでなく、これらの液が他に移動しないように吸水位置で保水することができる。
更に詳説すると、エアコンに反対面する外側層が通常の防水層であれば、空間を漂う洗浄液や排液が外側面に沿って流下し、床面を湿状態にしてしまう。そのために洗浄工事をする前に床面全体を床シートで敷設することが必要になるが、本発明によれば外側層を吸水保水層で構成するから、付着した洗浄液や排液をその場所で吸収し且つ移動しないように保水するから、付着した洗浄液や排液が流下することが無く、床面を清浄に保持することができる。従って、床面に床シートを敷設しなくてもよい場合が多くある等の多大な効果を発揮する。
【００４０】
本発明の第１１の形態によれば、エアコンが壁掛型のエアコンであるとき、養生カバーの一種である側部カバーにより、エアコンの中でエアコン側部制御部の周囲を包囲するエアコン洗浄方法が提供できる。
壁掛型のエアコンの制御部はエアコンの側部に設けられており、特に制御回路は水に弱い。そこで、本形態ではエアコン洗浄時にはエアコン側部制御部の周囲を包囲する養生カバーを装着し、エアコン側部制御部を防護する。これにより、空間を漂う洗浄液や排液の微小水滴や霧を吸水保水層で吸収するだけでなく、これらの液が他に移動しないように吸水位置で保水することができる。しかも内側層の防水層により、吸水保水された洗浄液や排液がエアコン側部制御部へ移動することを遮断してエアコン制御部を確実に防護することが可能になる。従って、エアコンの再起動性を確実に確保することができる。
【００４１】
本発明の第１２の形態によれば、エアコンが壁掛型のエアコンであるとき、養生カバーの一種である全体カバーにより、エアコン及び／又はエアコン洗浄部材の全体の周囲を包囲するエアコン洗浄方法が提供できる。
本形態発明に係る養生カバーが壁掛型のエアコンの全体を包囲する全体カバーとして利用される。この全体カバーはエアコンだけでなく受部や連結具・吊具などの他部材も包囲することができ、この全体カバーで洗浄液や排液を完全に内部に封じ込めて遮断でき、しかも排液を回収することができる。
即ち、エアコンの内側層にある防水層によって洗浄液や排液を遮断してカバー内面に沿って流下させて回収することができる。エアコンに反対面する外側層の吸水保水層には空間を漂う洗浄液や排液の微小水滴や霧が衝突するから、これらの小水滴や霧が散乱しないように吸水保水層で吸収するだけでなく、これらの液が他に移動しないように吸水位置で完全に保水することができる。
【００４２】
本発明の第１３の形態によれば、全体カバーの中でエアコンの正面側に位置する前面シートの上側が開放されて開放口が形成されており、開放口を垂幕状に開閉する左右の前部カバーが垂下して配置され、左右の前部カバーの間に洗浄口が配置され、洗浄口から洗浄液を放射するエアコン洗浄方法が提供できる。
本形態の養生カバーは第３形態に規定する全体カバーであり、壁掛型のエアコンの全体を包囲しており、その中で全面シートの上側には開放口が形成され、この開放口は左右に垂幕状に垂下された前部カバーで開閉可能に通常は閉鎖されている。垂幕状であるから、左右の前部カバーを巻き上げることも可能であり、前部カバーの下縁を左右に開くことも可能である。また、左右の前部カバーの近接した端縁は重なっていても開いていてもよい。
近接した端縁が相互に離間しておれば縦状に形成された隙間が洗浄口になる。また、近接した端縁が相互に重なっておれば、前部カバーの下縁を左右に開いて隙間を開口でき、その隙間が洗浄口になる。この洗浄口から洗浄液をエアコンに向かって放射してエアコンを洗浄することができる。本形態の洗浄口とはそのように形成されるものである。従って、左右の前部カバーにより洗浄作業の自由度が極めて高くなり、洗浄作業の容易性が確保できる。
しかも、左右の前部カバーの下縁を前面シートの内側に内装しておけば、全体カバー内で前部カバーを流下する洗浄液や排液が外部に漏出することなく回収することができる利点を有する。
【００４３】
本発明の第１４の形態によれば、エアコンが壁掛型のエアコンであるとき、養生カバーが、エアコンの下面を少なくとも開放した本体カバーであるエアコン洗浄方法が提供できる。
本形態の養生カバーである本体カバーは、第１５形態の養生カバーである受カバーと対にして使用される。この本体カバーの下方が開放されている理由は、エアコンを洗浄するときに、洗浄液や排液が前記下方の開放部から更に下方に流下し、下側に配置される受カバーで受け止めて回収するためである。
この本体カバーも、内側層である防水層と外側層である吸水保水層の積層シートである養生シートから形成されている。  即ち、エアコンに対面する内側層にある防水層によって洗浄液や排液を遮断してカバー内面に沿って流下させて回収することができる。エアコンに反対面する外側層の吸水保水層には空間を漂う洗浄液や排液の微小水滴や霧が衝突するから、これらの小水滴や霧が散乱しないように吸水保水層で吸収するだけでなく、これらの液が他に移動しないように吸水位置で完全に保水することができる。
【００４４】
本発明の第１５の形態によれば、エアコンが壁掛型のエアコンであるとき、エアコン本体から吊具を介して排液回収用の受具を吊持し、前記養生カバーが、前記受具から下方にホッパー状に垂下された受カバーであるエアコン洗浄方法が提供できる。
本形態の養生カバーである受カバーは、第１４形態の養生カバーである本体カバーと対にして使用される。前記本体カバーから流下する洗浄液や排液を、本形態の受カバーで受け止めて回収する。
この受カバーも、内側層である防水層と外側層である吸水保水層の積層シートである養生シートから形成されている。  即ち、エアコンに対面する内側層にある防水層によって洗浄液や排液を遮断して受カバー内面に沿って流下させて洗浄液や排液を回収することができる。エアコンに反対面する外側層の吸水保水層には空間を漂う洗浄液や排液の微小水滴や霧が衝突するから、これらの小水滴や霧が散乱しないように吸水保水層で吸収するだけでなく、これらの液が他に移動しないように吸水位置で完全に保水することができる。
【００４５】
本発明の第１６の形態によれば、エアコンが天井型のエアコンであるとき、エアコンに下方又は側方へ送風する送風口が設けられており、養生カバーが、送風口を含んで下方にホッパー状に垂下された受カバーであるエアコン洗浄方法が提供できる。
本形態の天井型のエアコンには、天井埋込型のエアコンや天井吊型のエアコンが存在し、いずれも下方に又は側方に送風する送風口が存在し、本形態の受カバーは上記送風口の近傍に配置されて、流下する洗浄液や排液を受カバーで受け止めて回収する。
この受カバーも、内側層である防水層と外側層である吸水保水層の積層シートである養生シートから形成されている。この場合には、エアコンに対面するとはエアコンの送風口に対面するということである。即ち、エアコンの送風口に対面する内側層にある防水層によって洗浄液や排液を遮断して受カバー内面に沿って流下させて洗浄液や排液を回収することができる。エアコンに反対面する外側層の吸水保水層には空間を漂う洗浄液や排液の微小水滴や霧が衝突するから、これらの微小水滴や霧が散乱しないように吸水保水層で吸収するだけでなく、これらの液が他に移動しないように吸水位置で完全に保水することができる。
【００４６】
本発明の第１７の形態によれば、エアコンが壁掛型又は天井型のエアコンであるとき、養生カバーが、エアコンの下方にホッパー状に配置されて支持棒により上下左右に移動可能な受カバーであるエアコン洗浄方法が提供できる。
本形態の受カバーは支持棒により上下左右に移動可能に構成され、この支持棒自体が排液チューブを兼用する場合もあれば、支持棒以外に排液チューブを設ける場合もある。
壁掛型のエアコンや天井型のエアコンの取付位置や取付高さが異なったりする場合があるから、支持棒を伸縮させて取付高さを可変調整でき、また取付位置に応じて場所を自在に移動できる利点を有する。
この受カバーも、内側層である防水層と外側層である吸水保水層の積層シートである養生シートから形成されている。この場合に、天井型のエアコンに対面するとはエアコンの送風口に対面するということであり、壁掛型のエアコンでは直接にエアコンに対面することを意味する。エアコンに対面する内側層にある防水層によって洗浄液や排液を遮断して受カバー内面に沿って流下させて洗浄液や排液を回収することができる。エアコンに反対面する外側層の吸水保水層には空間を漂う洗浄液や排液の微小水滴や霧が衝突するから、これらの微小水滴や霧が散乱しないように吸水保水層で吸収するだけでなく、これらの液が他に移動しないように吸水位置で完全に保水することができる。
【００４７】
本発明の第１８の形態によれば、吸水保水層は合成繊維からなる編物で、その表面にパイルを有してパイルが凸部となって編地表面に凹凸状の構造を有し、外部から編地表面にもたらされた液体状の水分が、速やかに編物の内部に吸水して保水され、前記防水層は、樹脂フィルム又は樹脂皮膜からなり、前記吸水保水層の裏面側にラミネート又はコーティングにより形成されるエアコン洗浄方法が提供できる。
本形態では吸水保水層と防水層の具体的な構成が規定されている。これらの構成は第１０から第１８の形態を通して共通した構成が採用される。吸水保水層は合成繊維からなる編物で、その表面にパイルを有してパイルが凸部となって編地表面に凹凸状の構造を有し、この凹凸状の構造により液体状の水分が速やかに編物の内部に吸水され、しかも凹凸状の構造により内部に形成される微小空間に液体状の水分が保水される作用がある。また、防水層は、樹脂フィルム又は樹脂皮膜からなり、吸水保水層の裏面側にラミネート又はコーティングにより形成される。吸水保水された水分が、防水層により遮断されて移動せず固定される作用を有する。
【図面の簡単な説明】
【００４８】
【図１】図１は、本発明に係るエアコン洗浄方法において、エアコン洗浄用の養生カバーの一種である側部カバー３と全体カバー４を用いてエアコン洗浄を行う概略斜視図である。
【図２】図２は、本発明に係るエアコン洗浄方法に使用される養生カバーの一種である全体カバー４の概略斜視図である。
【図３】図３は、本発明に係るエアコン洗浄方法に使用される養生カバーの一種である側部カバー３でエアコン側部制御部を包囲した概略斜視図である。
【図４】図４は、本発明に係る養生カバーを形成する養生シートが防水層１２と吸水保水層１３を積層した構造であることを説明する概略断面図である。
【図５】図５は、壁面Ａに取着された洗浄対象となるエアコン本体１のエアコン側部制御部２を示した立体写真図である。
【図６】図６は、本発明に係る養生カバーの一種である側部カバー３でエアコン側部制御部を包囲した全体写真図である。
【図７】図７は、本発明に係る養生カバーの一種であり且つ図６とは異なる側部カバー３でエアコン側部制御部を包囲した部分写真図である。
【図８】図８は、締付具３ｄを有した図６に示す側部カバー３の正面写真図である。
【図９】図９は、図８に示す側部カバー３を開口部３ｃから内部を写した内部写真図である。
【図１０】図１０は、本発明に係る養生カバーの一種である全体カバー４でエアコン本体１を包囲して前カバー５、５を上方に巻き上げた開放全体写真図である。
【図１１】図１１は、本発明に係る養生カバーの一種である全体カバー４でエアコン本体１を包囲し前カバー５、５を下方に下げた簡略閉鎖全体写真図である。
【図１２】図１２は、本発明に係る養生カバーの一種である本体カバー２０と受カバー２２で壁掛型のエアコン本体１を包囲した洗浄方法の全体斜視図である。
【図１３】図１３は、本発明に係る養生カバーの一種である受カバー２２で天井型のエアコン本体１を包囲した洗浄方法の全体斜視図である。
【図１４】図１４は、本発明に係る養生カバーの一種である上下左右に移動可能な受カバー２２での洗浄方法を示した全体斜視図である。
【発明を実施するための形態】
【００４９】
以下に、本発明に係るエアコン洗浄用の養生カバーの実施形態を図面に従って詳細に説明する。
【００５０】
図１は、本発明に係るエアコン洗浄方法において、エアコン洗浄用の養生カバーの一種である側部カバー３と全体カバー４を用いてエアコン洗浄を行う概略斜視図である。
エアコン本体１は、壁掛型のエアコンからハウジングであるエアコンケースを外した中身であり、熱交換用の多数のフィンで覆われている。このエアコン本体１の側部にはエアコンを電子的に制御する制御盤であるエアコン側部制御部２が設けられている。このエアコン側部制御部２は養生カバーの一種である側部カバー３により嵌合されて覆われている。覆った状態の側部カバー３は、嵌合するための開口部３ｃと、周面を覆う周面シート３ａと、側部を覆う側面シート３ｂから構成され、エアコン側部制御部２を密閉している。ここで云う側部カバー３の構成は嵌合状態での構成であり、嵌合していない状態では単なる袋体であればよい。
【００５１】
側部カバー３を嵌合したエアコン本体１は養生カバーの一種である全体カバー４で包囲されている。この全体カバー４は、エアコン本体１を覆う本体カバーと洗浄液や排液を流下して回収する受カバーが一体化されたものである。従って、全体カバー４は、側面底面シート４ａと、前面の下側半分を覆う前面シート４ｂと、前面の上側半分に開放された開放口４ｅと、天井側を覆う上面シート４ｃと、後側を覆う背面シート４ｄから構成されている。ここで云う本体カバー４の構成はエアコン本体１の包囲状態での構成であり、包囲していない状態では単なる袋体であればよい。
前記開放口４ｅを垂幕状に開閉する左右の前部カバー５、５が上面シート４ｃの前縁から垂下して配置されており、左右の前記前部カバー５、５の間には隙間である洗浄口６が形成配置されている。前部カバー５、５の下端縁は前面シート４ｂの内面側に垂下され、前部カバー５、５の内面から流下する洗浄液や排液が外部に漏出せずに回収されるように構成されている。
前部カバー５、５は垂幕状であるから、左右の前部カバー５、５を巻き上げることも可能であり、前部カバー５、５の下縁を左右に開くことも可能である。また、左右の前部カバー５、５の近接した端縁は重なっていても開いていてもよい。近接した端縁が相互に離間しておれば縦状に形成された隙間が洗浄口６になる。また、近接した端縁が相互に重なっておれば、前部カバー５、５の下縁を左右に開いて隙間を開口でき、その隙間が洗浄口６になる。従って、左右の前部カバー５、５により洗浄作業の自由度が極めて高くなり、洗浄作業の容易性が確保できる。
【００５２】
洗浄液供給チューブ１０を接続した洗浄機９ａにより、洗浄液９ａが洗浄口６から供給され、エアコン本体１のフィンなどに向けて放射され、エアコン本体１の洗浄が実施される。本発明では洗浄口６が上述のように極めて柔軟に構成されるから、洗浄液９ａの放射方向も自在に可変できる利点がある。
また、全体カバー４の側面底面シート４ａの底面シートには排液チューブ７が連結され、排液チューブ７は連結部８を介して洗浄液や排液を図示しないタンクに回収する。洗浄液９ａはエアコン本体１から流下するだけでなく、側面底面シート４ａの側面シートや前面シート４ｂや上面シート４ｃや背面シート４ｄ等の内面を伝っても流下し、これらの洗浄液９ａや排液の全てが底面シートから排液チューブ７を介して回収されることになる。
【００５３】
図２は、本発明に係るエアコン洗浄方法に使用される養生カバーの一種である全体カバー４の概略斜視図である。全体カバー４の構成と作用は図１で説明したからここでは省略する。
図２で重要なことは、側面底面シート４ａと前面シート４ｂと上面シート４ｃと背面シート４ｄからなる全体カバー４が養生シート１１から形成されていることである。全体カバー４の一部を切り欠いた破断部１４の〇で示された拡大図に、養生シート１１の断面図が示されている。エアコンに対面する内側層は防水層１２から形成され、エアコンに反対面する外側層は吸水保水層１３から構成され、即ち養生シート１１は防水層１２と吸水保水層１３を接合した積層シートである。
全体カバー４の内面には洗浄液や排液が流下し、これらの洗浄液や排液は防水層１２の表面に沿って流下するから、防水層により洗浄液や排液が全体カバー４に浸透することは有り得ない。他方、全体カバー４の外側の外部空間には洗浄液や排液の微小液滴や霧滴が飛散しているから、これらの微小液滴や霧滴を吸水保水層１３が吸収し、しかもその位置で移動しないように保水することができる。  従って、これらの液が床面に流下して床面を湿潤化させることも無いから、床面は乾燥したままの良好状態を保持できる。また、保水された液体は防水層１２の遮水作用により全体カバー４の内部に浸透することも無い。場合にもよるが、本発明により床面に床シートを敷設しなくてもエアコン洗浄が可能になる利点がある。
【００５４】
図３は、本発明に係るエアコン洗浄方法に使用される養生カバーの一種である側部カバー３でエアコン側部制御部を包囲した概略斜視図である。側部カバー３の構成と作用は図１で説明したからここでは省略する。
図３で重要なことは、周面シート３ａと側面シート３ｂからなる側面カバー３が養生シート１１から形成されていることである。側面カバー３の一部を切り欠いた破断部１４の〇で示された拡大図に、養生シート１１の断面図が示されている。エアコン、即ちエアコン側部制御部２に対面する内側層は防水層１２から形成され、エアコンに反対面する外側層は吸水保水層１３から構成され、即ち養生シート１１は防水層１２と吸水保水層１３を接合した積層シートである。
壁掛型のエアコンの制御部はエアコンの側部に設けられており、特に制御回路は水に弱い。そこで、エアコン洗浄時にはエアコン側部制御部２の周囲を包囲する養生カバーの一種である側部カバー３を装着し、エアコン側部制御部２を防護する。これにより、空間を漂う洗浄液や排液の微小水滴や霧を吸水保水層１３で吸収するだけでなく、これらの液が他に移動しないように吸水位置で保水することができる。しかも内側層の防水層１２により、吸水保水された洗浄液や排液がエアコン側部制御部２へ転移し移動することを遮断してエアコン側部制御部２を確実に防護することが可能になる。従って、エアコンの再起動性を確実に確保することができる。
【００５５】
図４は、本発明に係る養生カバーを形成する養生シートが防水層１２と吸水保水層１３を積層した構造であることを説明する概略断面図である。
これらの防水層１２と吸水保水層１３とは以下のように構成されている。吸水保水層１３は合成繊維からなる編物で、その表面にパイルを有してパイルが凸部となって編地表面に凹凸状の構造を有し、外部から編地表面にもたらされた液体状の水分が、速やかに編物の内部に吸水して保水され、防水層１２は、樹脂フィルム又は樹脂皮膜からなり、吸水保水層１３の裏面側にラミネート又はコーティングにより形成されるエアコン洗浄用の養生カバーである。
表面のドライ感を担うパイルを形成する合成繊維と、裏面の吸水保水性を担う合成繊維として、ポリエステル繊維等の一般的に疎水性繊維として知られている合成繊維を用いて構成できる。例えば表面のパイルと、裏面とのパイルがいずれもポリエステル繊維から構成されていても、裏面を構成するポリエステル繊維として、異形断面繊維を、好ましくは単糸繊度の小さい異繊度異形断面マルチフィラメント糸条を用いると、裏面は毛細管現象による水分の吸引力が強くなり、表面側から水分を吸収し、その水分を繊維間空隙に保持することができる。本発明にいう吸水保水性とは、裏面のこのような作用により具現されるものである。一方、表面においては、裏面に水分を奪われるので、ドライ感が保たれる。
吸水保水層としては、前記した合成繊維からなる編物を用いることが好ましいが、本発明の目的が達成すれば、これに限るものではなく、例えば、コットン等の吸水保水性を有する繊維から構成される不織布や織編物等の布帛を吸水保水層として用いることもできる。
防水層としては、公知の樹脂フィルムや樹脂皮膜を用いればよく、それらを本発明の編物の裏面側にラミネート又はコーティングすることにより積層することができる。防水層を形成する樹脂としては、特に限定されるものではなく、公知の樹脂から目的に応じて適宜選択すればよいが、例えばポリエステル系樹脂、ポリウレタン系樹脂、フッ素系樹脂等が好ましく採用される。
本発明に係る養生カバーを形成する養生シートとしては、例えば、特許文献５に具体的に記載されてなる防水吸水保水可能な積層シートを好適に用いることができる。
【００５６】
図５は、壁面Ａに取着された洗浄対象となるエアコン本体１のエアコン側部制御部２を示した立体写真図である。
エアコン本体１の側部にエアコンの制御部が設けられ、このエアコン側部制御部２に洗浄液や排液が放射されると、エアコンの制御機能が壊れることがある。そこで、本発明では、エアコン側部制御部２を側部カバー３で嵌合被覆することが重要になる。
【００５７】
図６は、本発明に係る養生カバーの一種である側部カバー３でエアコン側部制御部２を包囲した全体写真図である。
側部カバー３によりエアコン側部制御部２が完全に深く嵌合被覆されることが必要である。側部カバー３によりエアコン側部制御部２が、直接的に洗浄液や排液を放射されることは無くなる。図６では、側部カバー３を図示しない締付具であるアジャスターによりエアコン側部制御部２に固定されている。
【００５８】
図７は、本発明に係る養生カバーの一種であり且つ図６とは異なる側部カバー３でエアコン側部制御部２を包囲した部分写真図である。
側部カバー３は周面シート３ａと側面シート３ｂで構成され、開口部３ｃからエアコン側部制御部２に嵌合被覆され、ゴム型の締付具３ｄでエアコン側部制御部２に固定されている。この側部カバー３によりエアコン側部制御部２が、直接的に洗浄液や排液を放射されることは無くなる。
【００５９】
図８は、締付具３ｄを有した図６に示す側部カバー３の正面写真図である。側部カバー３は周面シート３ａと側面シート３ｂと開口部３ｃで構成され、開口部３ｃからエアコン側部制御部２に嵌合被覆される。この側部カバー３では、アジャスター型の締付具３ｄを有し、図６の側部カバー３に対応する。
【００６０】
図９は、図８に示す側部カバー３を開口部３ｃから内部を写した内部写真図である。側部カバー３は周面シート３ａと側面シート３ｂと開口部３ｃで構成され、側部カバー３は袋体であることが示されている。
【００６１】
図１０は、本発明に係る養生カバーの一種である全体カバー４でエアコン本体１を包囲して前カバー５、５を上方に巻き上げた状態の開放全体写真図である。
写真からエアコン本体１が全体カバー４で包囲されており、全体カバー４は側面底面シート４ａと前面シート４ｂと上面シート４ｃから構成されていることが分かる。下方には排液チューブ７が連結部８に接続されることが分かる。エアコン本体１は壁面Ａに壁掛されていることも分かる。また、前部カバー５、５は上方へ巻き上げられ、開放口４ｅが開放されていることも明示されている。以上の構成は既に詳述されており、この写真で再度確認したものである。
【００６２】
図１１は、本発明に係る養生カバーの一種である全体カバー４でエアコン本体１を包囲し前カバー５、５を下方に下げた簡略閉鎖全体写真図である。
左側の前部カバー５は前面シート４ｂの内部に装入され、右側の前部カバー５は前面シート４ｂの外部にあることが分かる。洗浄時には、左右の前カバー５、５の両方を前面シート４ｂの内部に装入する必要がある。そうすれば、洗浄液や排液が外部に漏出することを防止できる。
【００６３】
図１２は、本発明に係る養生カバーの一種である本体カバー２０と受カバー２２で壁掛型のエアコン本体１を包囲した洗浄方法の全体斜視図である。
養生カバーである本体カバー２０は、養生カバーである受カバー２２と対にして使用される。中間にはエアコン本体１に連結された吊具２３、２３により受具２１が吊持され、受具２１の下側に受カバー２２が配置され、ホッパー状の受カバー２２の頂点から排液チューブ７が垂下されている。
この本体カバー２０の下方が開放されている理由は、エアコンを洗浄するときに、洗浄液や排液が前記の開放部から下方に流下し、下側に配置される受カバー２２で受け止めて排液チューブ７へと流下させて回収するためである。
本体カバー２０と受カバー２２の両者とも、内側層である防水層と外側層である吸水保水層の積層シートである養生シートから形成されている。  即ち、エアコンに対面する内側層にある防水層によって洗浄液や排液を遮断してカバー内面に沿って流下させて回収することができる。エアコンに反対面する外側層の吸水保水層には空間を漂う洗浄液や排液の微小水滴や霧が衝突するから、これらの小水滴や霧が散乱しないように吸水保水層で吸収するだけでなく、これらの液が他に移動しないように吸水位置で完全に保水することができる。
【００６４】
図１３は、本発明に係る養生カバーの一種である受カバー２２で天井型のエアコン本体１を包囲した洗浄方法の全体斜視図である。
エアコンが天井型のエアコンであるとき、エアコンに下方又は側方へ送風する送風口が設けられており、送風口を含んで下方にホッパー状に垂下されたホッパー状の受カバー２２が設けられ、受カバー２２の頂点から排液チューブ７が垂下されている。
この受カバー２２も、内側層である防水層と外側層である吸水保水層の積層シートである養生シートから形成されている。この場合には、エアコンに対面するとはエアコンの送風口に対面するということである。即ち、エアコンの送風口に対面する内側層にある防水層によって洗浄液や排液を遮断して受カバー内面に沿って流下させて洗浄液や排液を回収することができる。エアコンに反対面する外側層の吸水保水層には空間を漂う洗浄液や排液の微小水滴や霧が衝突するから、これらの微小水滴や霧が散乱しないように吸水保水層で吸収するだけでなく、これらの液が他に移動しないように吸水位置で完全に保水することができる。
【００６５】
図１４は、本発明に係る養生カバーの一種である上下左右に移動可能な受カバー２２での洗浄方法を示した全体斜視図である。
エアコンが壁掛型又は天井型のエアコンであるとき、受カバー２２がエアコンの下方にホッパー状に配置されて支持棒２５により上下左右に移動可能に配置される。この支持棒２５が排液チューブを兼用する場合もあれば、支持棒２５以外に排液チューブを設ける場合もある。壁掛型のエアコンや天井型のエアコンの取付位置や取付高さが異なったりする場合があるから、支持棒２５を伸縮させて取付高さを可変調整でき、また取付位置に応じて場所を自在に移動できる利点を有する。
この受カバー２２も、内側層である防水層と外側層である吸水保水層の積層シートである養生シートから形成されている。この場合に、天井型のエアコンに対面するとはエアコンの送風口に対面するということであり、壁掛型のエアコンでは直接にエアコンに対面することを意味する。エアコンに対面する内側層にある防水層によって洗浄液や排液を遮断して受カバー内面に沿って流下させて洗浄液や排液を回収することができる。エアコンに反対面する外側層の吸水保水層には空間を漂う洗浄液や排液の微小水滴や霧が衝突するから、これらの微小水滴や霧が散乱しないように吸水保水層で吸収するだけでなく、これらの液が他に移動しないように吸水位置で完全に保水することができる。
【００６６】
本発明は、上記実施形態に限定されるものではなく、本発明の技術的思想を逸脱しない範囲における種々変形例、設計変更、別実施例などをその技術的範囲内に包含するものであることは云うまでもない。
【産業上の利用可能性】
【００６７】
本発明に係るエアコン洗浄用の養生カバーを使用してエアコン洗浄を実施すると、エアコンの洗浄時にエアコン及び／又はエアコン洗浄部材の周囲の一部又は全体を包囲して洗浄液や排液の飛散を防止し、及び／又は排液を容易に回収することができる。特に、エアコンが壁掛型のエアコンであるとき、前記養生カバーとして、エアコンの中でも特にエアコン側部制御部の周囲を包囲する側部カバーを用いれば、エアコン側部制御部を洗浄液から完全に防護して洗浄後にエアコンの電子制御機能を直ちに発現できる。また、本発明により、床面に床シートを敷設しなくても、床面を洗浄液や排液で汚すことが無くなり、容易でありながら清潔且つ秀麗にエアコン洗浄を実現することができる。
【符号の説明】
【００６８】
１          エアコン本体
２          エアコン側部制御部
３          側部カバー
３ａ        周面シート
３ｂ        側面シート
３ｃ        開口部
４          全体カバー
４ａ        側面底面シート
４ｂ        前面シート
４ｃ        上面シート
４ｄ        背面シート
４ｅ        開放口
５          前部カバー
６          洗浄口
７          排液チューブ
８          連結部
９          洗浄機
９ａ        洗浄液
１０        洗浄液供給チューブ
１１        養生シート
１２        防水層
１３        吸水保水層
１４        破断部
２０        本体カバー
２１        受具
２２        受カバー
２３        吊具
２４        送風口
２５        支持棒
Ａ          壁面
【図１】
2019132465.tif 000003
【図２】
2019132465.tif 000004
【図３】
2019132465.tif 000005
【図４】
2019132465.tif 000006
【図５】
2019132465.tif 000007
【図６】
2019132465.tif 000008
【図７】
2019132465.tif 000009
【図８】
2019132465.tif 000010
【図９】
2019132465.tif 000011
【図１０】
2019132465.tif 000012
【図１１】
2019132465.tif 000013
【図１２】
2019132465.tif 000014
【図１３】
2019132465.tif 000015
【図１４】
2019132465.tif 000016